(57)【要約】【課題】簡易な生産プロセスで製作可能であって、サイドライト方式の面光源装置に用いられた場合に、出射光の輝度が十分であり、色の再現範囲が十分であり、出射光の輝度の均一化が十分になされる面光源装置が得られる導光板を提供すること。【解決手段】導光板１１は、サイドライト方式の面光源装置１０に用いられる導光板１１であって、光出射面１１ａの幅が背面１１ｂの幅よりも狭くなるように、一方の側面が傾斜面１１ｃとされ、光出射面１１ａと、背面１１ｂとの距離はｔとされ、背面１１ｂの幅はＬとされ、水平方向の断面において、傾斜面１１ｃと、光出射面１１ａに垂直な直線αとのなす角の角度θはtan-1(t/L)近傍とされることを特徴とする。【選択図】図１
2008262766.tif 000002
【特許請求の範囲】
【請求項１】
サイドライト方式の面光源装置に用いられる導光板であって、
光出射面の幅が背面の幅よりも狭くなるように、一方の側面が傾斜面とされ、
前記光出射面と、前記背面との距離はｔとされ、
前記背面の幅はＬとされ、
水平方向の断面において、前記傾斜面と、前記光出射面に垂直な直線とのなす角の角度はtan-1(t/L)近傍とされることを特徴とする導光板。
【請求項２】
サイドライト方式の面光源装置に用いられる導光板であって、
光出射面の幅が背面の幅よりも狭くなるように、一方の側面が傾斜面とされ、
前記光出射面と、前記背面との距離はｔとされ、
前記背面の幅はＬとされ、
水平方向の断面において、前記傾斜面と、前記光出射面に垂直な直線とのなす角の角度はtan-1(t/L)以上とされることを特徴とする導光板。
【請求項３】
水平方向の断面において、前記傾斜面に対向する側面と、前記光出射面とのなす角の角度は９０度近傍とされることを特徴とする請求項１又は２に記載の導光板。
【請求項４】
請求項１から３のいずれか１項に記載の導光板と、
前記導光板の前記傾斜面近傍に、発光部が前記傾斜面と平行となるように配された光源と、
を有することを特徴とする面光源装置。
【請求項５】
前記光源は、発光素子が直線状に配されたＬＥＤであることを特徴とする請求項４に記載の面光源装置。
【請求項６】
液晶パネルと、
前記液晶パネルの背面に配された請求項４又は５に記載の面光源装置と、
を有することを特徴とする液晶表示装置。
【発明の詳細な説明】
【技術分野】
【０００１】
本発明は、サイドライト方式の面光源装置に用いられる導光板に関する。また、本発明は、そのような導光板を有する面光源装置及び液晶表示装置に関する。
【背景技術】
【０００２】
一般的なサイドライト方式の面光源装置の概略の構成について、図５を用いて説明する。図５は、一般的なサイドライト方式の面光源装置９０の概略の構成を示す、水平方向の断面図である。
【０００３】
面光源装置９０は、光出射面９１ａと、ブラスト処理などによって光の拡散作用持つパターンが形成された背面９１ｂと、側面９１ｃとを有する、アクリル樹脂からなる導光板９１と；導光板９１の側面９１ｃ近傍に、発光部が側面９１ｃと平行となり、かつ、発光部の中心が側面９１ｃの中点に対応するように配された、冷陰極管やＬＥＤなどの光源９２と；導光板９１の背面９１ｂ近傍に配された、光を反射する反射シート９３と；導光板９１の光出射面９１ａ近傍に配された、プリズム素子などで構成される光出射方向修正素子９４と；を有している。
【０００４】
面光源装置９０においては、光源９２から出射された光は、光源９２から直接又は光源９２の周囲を覆う不図示のリフレクタの内面で反射された後に導光板９１の側面９１ｃに入射し、導光板９１の内部を伝搬し、光出射面９１ａから出射された後に、光出射方向修正素子９４によって出射方向が修正される。また、導光板９１の背面９１ｂ側に出射された光も、導光板９１の背面９１ｂに形成された、光の拡散作用持つパターンによって拡散されるか、あるいは、反射シート９３によって反射されることによって、再び導光板９１内部を伝播する。
【０００５】
上記の面光源装置９０は、直下型の面光源装置と比べて消費電力を低減できるなどのメリットを有する。しかしながら、面光源装置９０においては、光源９２からの中心光Ｉがほぼそのまま導光板９１を透過してしまうことから、出射光の輝度が不十分になってしまうという問題があった。また、出射光の輝度が、光源９２から離れるにつれて急激に低下してしまうことから、出射光の輝度の均一化が不十分になってしまうという問題があった。
【０００６】
そのため、サイドライト方式の面光源装置においては、出射光の輝度の向上及び均一化を目的とした各種発明が以前よりなされており、その例を特許文献１〜３に見ることができる。
【０００７】
特許文献１の発明は、サイドライト方式の面光源装置において、導光板の形状を楔形とすることによって、出射光の輝度の向上及び均一化を図ったものである。
【０００８】
特許文献２の発明は、ライン光源を用いたサイドライト方式の面光源装置において、ライン光源を光出射面側にずらして配するとともに、導光板のライン光源が配される側の側面を傾斜面とすることによって、出射光の輝度の向上を図ったものである。
【０００９】
特許文献３の発明は、サイドライト方式の面光源装置において、導光板の外側面に下向き傾斜面を形成し、導光板を支持するフレームの内側面に上向き傾斜面を形成し、導光板の下向き傾斜面とフレームの上向き傾斜面とを面接触させる構成とすることによって、出射光の輝度の均一化を図ったものである。
【特許文献１】特開平７−０３６０３７号公報
【特許文献２】特開平５−３４１１３３号公報
【特許文献３】特開２００４−１９９９３０号公報
【発明の開示】
【発明が解決しようとする課題】
【００１０】
しかしながら、特許文献１の面光源装置においては、楔形の導光板を製作するために、金型全体に微細で精密な加工が必要となることから、生産プロセスが複雑化するという問題がある。
【００１１】
また、特許文献２の面光源装置においては、導光板のライン光源が配される側の側面の形状次第で出射光の輝度が大きく変化することから、場合によっては出射光の輝度が不十分になってしまうという問題がある。また、ライン光源を用いていることから、色の再現範囲が不十分になってしまうという問題がある。
【００１２】
また、特許文献３の面光源装置においては、光源からの光の多くは、導光板の背面近傍に配された反射板で反射されることなく直接光出射面より出射されることから、反射板で輝度を十分に調節することができず、出射光の輝度の均一化が不十分になってしまうという問題がある。
【００１３】
上記の問題を鑑みて、本発明においては、簡易な生産プロセスで製作可能であって、サイドライト方式の面光源装置に用いられた場合に、出射光の輝度が十分であり、色の再現範囲が十分であり、出射光の輝度の均一化が十分になされる面光源装置が得られる導光板を提供することを目的とする。また、本発明の他の目的は、そのような導光板を有する面光源装置及び液晶表示装置を提供することである。
【課題を解決するための手段】
【００１４】
本発明においては、導光板は、サイドライト方式の面光源装置に用いられる導光板であって、光出射面の幅が背面の幅よりも狭くなるように、一方の側面が傾斜面とされ、前記光出射面と、前記背面との距離はｔとされ、前記背面の幅はＬとされ、水平方向の断面において、前記傾斜面と、前記光出射面に垂直な直線とのなす角の角度はtan-1(t/L)近傍とされることを特徴とする。
【００１５】
本発明においては、導光板は、サイドライト方式の面光源装置に用いられる導光板であって、光出射面の幅が背面の幅よりも狭くなるように、一方の側面が傾斜面とされ、前記光出射面と、前記背面との距離はｔとされ、前記背面の幅はＬとされ、水平方向の断面において、前記傾斜面と、前記光出射面に垂直な直線とのなす角の角度はtan-1(t/L)以上とされることを特徴とする。
【００１６】
本発明においては、上記構成の導光板において、水平方向の断面において、前記傾斜面に対向する側面と、前記光出射面とのなす角の角度は９０度近傍とされることが望ましい。
【００１７】
本発明においては、面光源装置は、上記構成の導光板と、前記導光板の前記傾斜面近傍に、発光部が前記傾斜面と平行となるように配された光源と、を有することを特徴とする。
【００１８】
本発明においては、上記構成の面光源装置において、前記光源は、発光素子が直線状に配されたＬＥＤであることが望ましい。
【００１９】
本発明においては、液晶表示装置は、液晶パネルと、前記液晶パネルの背面に配された上記構成の面光源装置と、を有することを特徴とする。
【発明の効果】
【００２０】
本発明の導光板においては、光出射面の幅が背面の幅よりも狭くなるように、一方の側面が傾斜面とされ、光出射面と、背面との距離はｔとされ、背面の幅はＬとされ、水平方向の断面において、傾斜面と、光出射面に垂直な直線とのなす角の角度はtan-1(t/L)近傍とされる。したがって、該導光板を有する面光源装置において、光源が該導光板の傾斜面近傍に、発光部が傾斜面と平行となるように配された場合には、該導光板は、光源からの中心光を、背面の幅方向の中点近傍で受光することとなり、光源からの中心光がほぼそのまま該導光板を透過してしまうことがないため、光の損失を極力抑えることができ、出射光の輝度を向上させることができる。また、該導光板を有する面光源装置において、光源が該導光板の傾斜面近傍に、発光部が傾斜面と平行となるように配された場合には、該導光板の背面に形成される、光の拡散作用を持つパターン及び該導光板の背面近傍に配される反射シート又は反射板の特性を調節することによって、光源からの中心光を、可能な限り該導光板の背面から垂直に出射するようにすると、面光源装置の中心近傍で光を利用できることとなり、出射光の輝度を十分に均一化させることができる。
【００２１】
また、本発明の導光板においては、光出射面の幅が背面の幅よりも狭くなるように、一方の側面が傾斜面とされ、光出射面と、背面との距離はｔとされ、背面の幅はＬとされ、水平方向の断面において、傾斜面と、光出射面に垂直な直線とのなす角の角度はtan-1(t/L)以上とされる。したがって、該導光板を有する面光源装置において、光源が該導光板の傾斜面近傍に、発光部が傾斜面と平行となるように配された場合には、該導光板は、光源からの中心光を、背面の光源側の端点と、背面の幅方向の中点との間で受光することとなり、光源からの中心光がほぼそのまま該導光板を透過してしまうことがないため、光の損失を極力抑えることができ、出射光の輝度を向上させることができる。また、該導光板を有する面光源装置において、光源が該導光板の傾斜面近傍に、発光部が傾斜面と平行となるように配された場合には、該導光板の背面に形成される光の拡散作用を持つパターン、該導光板の背面近傍に配される反射シート又は反射板、及び該導光板の光出射面近傍に配される光出射方向修正素子又は該導光板の光出射面に形成される光の出射方向修正作用を持つパターンの特性を調節することによって、光源からの中心光を、可能な限り面光源装置の中心近傍から垂直に出射するようにすると、面光源装置の中心近傍で光を利用できることとなり、出射光の輝度を十分に均一化することができる。
【００２２】
また、本発明の導光板は、傾斜面のみを限定的に加工するか、あるいは、射出形成の際に傾斜面を有するように側面に角度を付けるかのいずれかの方法によって製作することができる。そのため、金型全体に微細で精密な加工が必要であった楔形の導光板に比べて、簡易な生産プロセスで製作可能となる。
【００２３】
また、本発明の導光板においては、光出射面の幅が背面の幅よりも狭くなるように、一方の側面が傾斜面とされる。したがって、該導光板を有する面光源装置において、光源が該導光板の傾斜面近傍に、発光部が傾斜面と平行となるように配された場合には、光源が該導光板の背面側に傾いて配されることから、光源が点光源とされた場合にも、該導光板の背面の、光源側の端点近傍に光が十分に届かないという問題が生じない。つまり、図５に示される一般的なサイドライト方式の面光源装置９０において、光源９２が点光源とされた場合に問題となった、導光板９１の背面９１ｂの、光源９２側の端点Ａ近傍に光が十分に届かないことによる、出射光の端部の無光領域の発生を抑制できることとなる。そのため、本発明の導光板を有する面光源装置において、光源として、発光素子が直線状に配されたＬＥＤを、該導光板の傾斜面近傍に、発光部が傾斜面と平行となるように配することによって、色の再現範囲が広く、かつ、出射光の輝度の均一化が十分になされる面光源装置が得られる。
【発明を実施するための最良の形態】
【００２４】
本発明の実施形態について、図面を用いて説明すれば以下の通りである。
【００２５】
（第１の実施形態）
図１は、本発明の第１の実施形態に係るサイドライト方式の面光源装置１０の概略の構成を示す、水平方向の断面図である。面光源装置１０は、光出射面１１ａと、ブラスト処理などによって光の拡散作用持つパターンが形成された背面１１ｂと、光出射面１１ａの幅が背面１１ｂの幅よりも狭くなるように、一方の側面に形成された傾斜面１１ｃとを有する、アクリル樹脂からなる導光板１１と；導光板１１の傾斜面１１ｃ近傍に、発光部が傾斜面１１ｃと平行となり、かつ、発光部の中心が傾斜面１１ｃの中点に対応するように配された、冷陰極管やＬＥＤなどの光源１２と；導光板１１の背面１１ｂ近傍に配された、光を反射する反射シート１３と；導光板１１の光出射面１１ａ近傍に配された、プリズム素子などで構成される光出射方向修正素子１４と；を有している。なお、ここで、導光板１１の、傾斜面１１ｃに対向する側面は、光出射面１１ａに垂直に形成されている。
【００２６】
面光源装置１０においては、光源１２から出射された光は、光源１２から直接又は光源１２の周囲を覆う不図示のリフレクタの内面で反射された後に導光板１１の傾斜面１１ｃに入射し、導光板１１の内部を伝搬し、光出射面１１ａから出射された後に、光出射方向修正素子１４によって出射方向が修正される。また、導光板１１の背面１１ｂ側に出射された光も、導光板１１の背面１１ｂに形成された、光の拡散作用持つパターンによって拡散されるか、あるいは、反射シート１３によって反射されることによって、再び導光板１１内部を伝播する。
【００２７】
ここで、導光板１１においては、光出射面１１ａと、背面１１ｂとの距離はｔとされ、背面１１ｂの幅（背面１１ｂの光源１２側の端点Ａと、光源１２と反対側の端点Ｂとの距離）はＬとされ、傾斜面１１ｃと、光出射面１１ａに垂直な直線αとのなす角の角度θはtan-1(t/L)近傍とされる。
【００２８】
以上の通り構成された面光源装置１０においては、導光板１１は、光源１２からの中心光Ｉを、背面１１ｂの幅方向の中点Ｃ近傍で受光することとなり、光源１２からの中心光Ｉがほぼそのまま導光板１１を透過してしまうことがないため、光の損失を極力抑えることができ、出射光の輝度を向上させることができる。また、面光源装置１０において、導光板１１の背面１１ｂに形成される、光の拡散作用を持つパターン及び導光板１１の背面１１ｂ近傍に配される反射シート１３の特性を調節することによって、光源１２からの中心光Ｉを、可能な限り導光板１１の背面１１ｂから垂直に出射するようにすると、面光源装置１０の中心近傍で光を利用できることとなり、出射光の輝度を十分に均一化させることができる。
【００２９】
また、導光板１１は、傾斜面１１ｃのみを限定的に加工するか、あるいは、射出形成の際に傾斜面１１ｃを有するように側面に角度を付けるかのいずれかの方法によって製作することができる。そのため、金型全体に微細で精密な加工が必要であった楔形の導光板に比べて、簡易な生産プロセスで製作可能となる。
【００３０】
また、面光源装置１０においては、光源１２が導光板１１の背面１１ｂ側に傾いて配されることから、光源１２が点光源とされた場合にも、導光板１１の背面１１ｂの、光源１２側の端点Ａ近傍に光が十分に届かないという問題が生じない。つまり、図５に示される一般的なサイドライト方式の面光源装置９０において、光源９２が点光源とされた場合に問題となった、導光板９１の背面９１ｂの、光源９２側の端点Ａ近傍に光が十分に届かないことによる、出射光の端部の無光領域の発生を抑制できることとなる。そのため、面光源装置１０において、光源１２として、発光素子が直線状に配されたＬＥＤを用いることによって、色の再現範囲が広く、かつ、出射光の輝度の均一化が十分になされる面光源装置１０が得られる。
【００３１】
（第２の実施形態）
図２は、本発明の第２の実施形態に係るサイドライト方式の面光源装置２０の概略の構成を示す、水平方向の断面図である。面光源装置２０は、光出射面２１ａと、ブラスト処理などによって光の拡散作用持つパターンが形成された背面２１ｂと、光出射面２１ａの幅が背面２１ｂの幅よりも狭くなるように、一方の側面に形成された傾斜面２１ｃとを有する、アクリル樹脂からなる導光板２１と；導光板２１の傾斜面２１ｃ近傍に、発光部が傾斜面２１ｃと平行となり、かつ、発光部の中心が傾斜面２１ｃの中点に対応するように配された、冷陰極管やＬＥＤなどの光源２２と；導光板２１の背面２１ｂ近傍に配された、光を反射する反射シート２３と；導光板２１の光出射面２１ａ近傍に配された、プリズム素子などで構成される光出射方向修正素子２４と；を有している。なお、ここで、導光板２１の、傾斜面２１ｃに対向する側面は、光出射面２１ａに垂直に形成されている。
【００３２】
面光源装置２０においては、光源２２から出射された光は、光源２２から直接又は光源２２の周囲を覆う不図示のリフレクタの内面で反射された後に導光板２１の傾斜面２１ｃに入射し、導光板２１の内部を伝搬し、光出射面２１ａから出射された後に、光出射方向修正素子２４によって出射方向が修正される。また、導光板２１の背面２１ｂ側に出射された光も、導光板２１の背面２１ｂに形成された、光の拡散作用持つパターンによって拡散されるか、あるいは、反射シート２３によって反射されることによって、再び導光板２１内部を伝播する。
【００３３】
ここで、導光板２１においては、光出射面２１ａと、背面２１ｂとの距離はｔとされ、背面２１ｂの幅（背面２１ｂの光源２２側の端点Ａと、光源２２と反対側の端点Ｂとの距離）はＬとされ、傾斜面２１ｃと、光出射面２１ａに垂直な直線αとのなす角の角度θはtan-1(t/L)以上とされる。
【００３４】
以上の通り構成された面光源装置２０においては、導光板２１は、光源２２からの中心光Ｉを、背面２１ｂの光源２２側の端点Ａと、背面２１ｂの幅方向の中点Ｃとの間の点Ｄで受光することとなり、光源２２からの中心光Ｉがほぼそのまま導光板２１を透過してしまうことがないため、光の損失を極力抑えることができ、出射光の輝度を向上させることができる。また、面光源装置２０において、導光板２１の背面２１ｂに形成される光の拡散作用を持つパターン、導光板２１の背面２１ｂ近傍に配される反射シート２３、及び導光板２１の光出射面２１ａ近傍に配される光出射方向修正素子２４の特性を調節することによって、光源２２からの中心光Ｉを、可能な限り面光源装置２０の中心近傍から垂直に出射するようにすると、面光源装置２０の中心近傍で光を利用できることとなり、出射光の輝度を十分に均一化することができる。
【００３５】
また、導光板２１は、傾斜面２１ｃのみを限定的に加工するか、あるいは、射出形成の際に傾斜面２１ｃを有するように側面に角度を付けるかのいずれかの方法によって製作することができる。そのため、金型全体に微細で精密な加工が必要であった楔形の導光板に比べて、簡易な生産プロセスで製作可能となる。
【００３６】
また、面光源装置２０においては、光源２２が導光板２１の背面２１ｂ側に傾いて配されることから、光源２２が点光源とされた場合にも、導光板２１の背面２１ｂの、光源２２側の端点Ａ近傍に光が十分に届かないという問題が生じない。つまり、図５に示される一般的なサイドライト方式の面光源装置９０において、光源９２が点光源とされた場合に問題となった、導光板９１の背面９１ｂの、光源９２側の端点Ａ近傍に光が十分に届かないことによる、出射光の端部の無光領域の発生を抑制できることとなる。そのため、面光源装置２０において、光源２２として、発光素子が直線状に配されたＬＥＤを用いることによって、色の再現範囲が広く、かつ、出射光の輝度の均一化が十分になされる面光源装置２０が得られる。
【００３７】
以上の説明においては、光源１２（２２）は、導光板１１（２１）の傾斜面１１ｃ（２１ｃ）近傍に、発光部が傾斜面１１ｃ（２１ｃ）と平行となり、かつ、発光部の中心が傾斜面１１ｃ（２１ｃ）の中点に対応するように配されることとした。そこで、以下で、具体的にこの構成を実現する方法について説明する。
【００３８】
図３は、光源１２（２２）を、導光板１１（２１）の傾斜面１１ｃ（２１ｃ）近傍に、発光部が傾斜面１１ｃ（２１ｃ）と平行となり、かつ、発光部の中心が傾斜面１１ｃ（２１ｃ）の中点に対応するように配する方法を示す、水平方向の断面図である。
【００３９】
ここで、図３（ａ）においては、光源１２（２２）を、底面が直角三角形となる三角柱状のフレキシブル配線基盤３１の斜面上に配し、フレキシブル配線基板３１の直交する２つの側面を、背面板３２に面接触させることによって、この構成を実現している。また、図３（ｂ）においては、光源１２（２２）の形状を、背面板３２に面接触する、直交する２つの面３３及び３４を有しつつ、導光板１１（２１）の背面１１ｂ（２１ｂ）側に傾く形状とすることによってこの構成を実現している。なお、ここで、背面板３２は、面光源装置１０（２０）の背面側を覆うものであり、導光板１１（２１）の背面に平行な底面を有する、蓋のない直方体の箱状のものである。
【００４０】
また、光源１２（２２）としては、上記の通り、発光素子が直線状に配されたＬＥＤを用いることが望ましい。そこで、以下で、発光素子が直線状に配されたＬＥＤの具体的な構成について説明する。
【００４１】
図４は、発光素子が直線状に配されたＬＥＤ１２（２２）の具体的な構成を示す、水平方向の断面図である。図４においては、ＬＥＤ１２（２２）は、直線状に配されたＬＥＤチップ４１、４２、４３と、ＬＥＤチップ４１、４２、４３の光出射方向Ｘの側面を覆い、光出射方向Ｘに向けて広がる形状のプラスチック製の遮光部材４１１、４２１、４３１とを有する。
【００４２】
ここで、ＬＥＤチップ４１、４２間及びＬＥＤチップ４２、４３間の距離Ｐは、例えば７ｍｍ以上とし、プラスチック製の遮光部材４１１、４２１、４３１各々の、光出射方向Ｘ側端部の幅Ｓは、例えば４ｍｍ以上とすることが望ましい。
【００４３】
なお、本発明は上記の実施形態に限定されず、本発明の主旨を逸脱しない範囲で種々の変更が可能である。例えば、上記の実施形態においては、面光源装置１０又は２０は、導光板１１又は２１の光出射面１１ａ又は２１ａ近傍に、プリズム素子などで構成される光出射方向修正素子１４又は２４を有するものとした。しかしながら、導光板１１又は２１の光出射面１１ａ又は２１ａに、ブラスト処理などによって光の出射方向修正作用を持つパターンを形成することとしてもよい。
【００４４】
また、上記の実施形態においては、面光源装置１０又は２０は、導光板１１又は２１の背面１１ｂ又は２１ｂ近傍に、光を反射する反射シート１３又は２３を有するものとした。しかしながら、反射シート１３又は２３の代わりに反射板を有することとしてもよい。
【産業上の利用可能性】
【００４５】
本発明は、サイドライト方式の面光源装置に用いられる導光板として有効である。また、本発明は、そのような導光板を有する面光源装置及び液晶表示装置として有効である。
【図面の簡単な説明】
【００４６】
【図１】面光源装置１０の概略の構成を示す、水平方向の断面図。
【図２】面光源装置２０の概略の構成を示す、水平方向の断面図。
【図３】光源１２（２２）を、導光板１１（２１）の傾斜面１１ｃ（２１ｃ）近傍に、発光部が傾斜面１１ｃ（２１ｃ）と平行となり、かつ、発光部の中心が傾斜面１１ｃ（２１ｃ）の中点に対応するように配する方法を示す、水平方向の断面図。
【図４】発光素子が直線状に配されたＬＥＤ１２（２２）の具体的な構成を示す、水平方向の断面図。
【図５】面光源装置９０の概略の構成を示す、水平方向の断面図。
【符号の説明】
【００４７】
１０、２０    面光源装置
１１、２１    導光板
１１ａ、２１ａ    光出射面
１１ｂ、２１ｂ    背面
１１ｃ、２１ｃ    傾斜面
１２、２２    光源
４１、４２、４３    ＬＥＤチップ（発光素子）
【図１】
2008262766.tif 000003
【図２】
2008262766.tif 000004
【図３】
2008262766.tif 000005
【図４】
2008262766.tif 000006
【図５】
2008262766.tif 000007